(57)【要約】【課題】  常開のオリフィスから、入口側と出口側の圧力差に関係無く一定量のドレンを排出することのできるフロート式蒸気トラップを提供する。【解決手段】  弁ケーシング１の上部に入口２を下部に出口３を取り付けて、内部に弁室４を形成する。弁室４の下部に出口３と一体に常開のオリフィス５を配置する。オリフィス５の下端は出口３に形成した出口通路６と連通する。オリフィス５の上端に弾性部材で形成した定流量弁機構７を取り付ける。定流量弁機構７の中央部に可変通路８を形成する。  可変通路８は、図１に示す状態が最大通路面積の状態であり、入口２側と出口３側の圧力差が大きくなると、弾性部材で形成した定流量弁機構７が下方に変形することで、可変通路８の通路面積は徐々に小さくなることで、入口２側と出口３側の圧力差に関係無く一定量のドレンを排出することができる。【選択図】図１
2014074445.tif 000002
【特許請求の範囲】
【請求項１】
弁ケーシングで入口と弁室と出口を形成し、当該弁室の下部に弁座部材を取り付け、当該弁座部材に弁室を出口側と連通する排出通路を形成して、弁室内に弁座部材へ離着座して排出通路を開閉するフロートを配置し、弁室の下部に弁室と出口側を連通する常開のオリフィスを設けたものにおいて、常開のオリフィスに、入口側と出口側の圧力差が大きくなると通路面積を小さく絞り、一方、圧力差が小さくなると通路面積が大きくなる定流量弁機構を内蔵したことを特徴とするフロート式蒸気トラップ。
【発明の詳細な説明】
【技術分野】
【０００１】
本発明は、蒸気配管系に発生する蒸気の凝縮水としてのドレンを、フロートの浮上降下によって自動的に外部へ排出するフロート式蒸気トラップに関する。
【背景技術】
【０００２】
従来のフロート式蒸気トラップは、入口と出口を有するケーシング内に弁室を形成し、弁室と出口を連通する弁孔及びオリフィスを弁室下部に設け、弁室内に配置したフロートで弁部材を駆動して弁孔を開閉するものであり、フロートによって開閉される弁孔とは別に常開のオリフィスを設けたことにより、ドレンの排出容量を大きくすることができるものである。
【先行技術文献】
【特許文献】
【０００３】
【特許文献１】特開平１０−１４１５９３号公報
【発明の概要】
【発明が解決しようとする課題】
【０００４】
上記従来のフロート式蒸気トラップは、一定の開度を有する常開のオリフィスを設けたことによって、このオリフィスから排出されるドレンの量が、入口側と出口側の圧力差に応じて変化してしまう問題があった。すなわち、入口側と出口側の圧力差が大きい場合は多量のドレンが常開のオリフィスから排出され、一方、圧力差が小さい場合は少量のドレンしかオリフィスからは排出されないために、圧力差に関係無く一定量のドレンを排出したい用途には適さないのである。
このように、圧力差に関係無く一定量のドレンを排出する用途としては、例えば、被熱交換物を加熱したり、あるいは、冷却するヒートポンプの膨張弁として蒸気トラップを使用する場合がある。ヒートポンプは蒸発器と圧縮機と凝縮器、及び、膨張弁による閉ループを構成して、この閉ループ内に熱媒体を循環させることにより、被熱交換物を加熱あるいは冷却するものである。
【０００５】
本発明が解決しようとする課題は、常開のオリフィスから、入口側と出口側の圧力差に関係無く一定量のドレンを排出することのできるフロート式蒸気トラップを提供することである。
【課題を解決するための手段】
【０００６】
上記の課題を解決するために、本発明のフロート式蒸気トラップは、弁ケーシングで入口と弁室と出口を形成し、当該弁室の下部に弁座部材を取り付け、当該弁座部材に弁室を出口側と連通する排出通路を形成して、弁室内に弁座部材へ離着座して排出通路を開閉するフロートを配置し、弁室の下部に弁室と出口側を連通する常開のオリフィスを設けたものにおいて、常開のオリフィスに、入口側と出口側の圧力差が大きくなると通路面積を小さく絞り、一方、圧力差が小さくなると通路面積が大きくなる定流量弁機構を内蔵したものである。
【発明の効果】
【０００７】
本発明によれば、入口側と出口側の圧力差が大きくなると通路面積を小さく絞り、一方、圧力差が小さくなると通路面積が大きくなる定流量弁機構を、常開のオリフィスに内蔵したことにより、常開のオリフィスから、入口側と出口側の圧力差に関係無く一定量のドレンを排出することができるという優れた効果を生じる。
【図面の簡単な説明】
【０００８】
【図１】本発明の実施の形態に係わるフロート式蒸気トラップの一部断面構成図である。
【図２】本発明の他の実施の形態に係わるフロート式蒸気トラップの一部断面構成図である。
【発明を実施するための形態】
【０００９】
以下、本発明の実施の形態について、図１を参照して説明する。弁ケーシング１の上部に入口２を下部に出口３を取り付けて、内部に弁室４を形成する。弁室４の下部には図示はしないが排出通路を有する弁座部材とフロートを配置して、フロート式蒸気トラップを構成する。
【００１０】
弁室４の下部に出口３と一体に常開のオリフィス５を配置する。オリフィス５の下端は出口３に形成した出口通路６と連通する。オリフィス５の上端に合成ゴムなどの弾性部材で形成した定流量弁機構７を取り付ける。定流量弁機構７は、断面が略ハの字状の円錐形状であり、その中央部に可変通路８を形成する。可変通路８は、図１に示す状態が最大通路面積の状態であり、入口２側と出口３側の圧力差が大きくなると、弾性部材で形成した定流量弁機構７が下方に変形することで、可変通路８の通路面積は徐々に小さくなることで、入口２側と出口３側の圧力差に関係無く一定量のドレンを排出することができるものである。
【００１１】
入口２から流入したドレンは弁室４内に溜り、液面に応じて図示しないフロートが浮上降下して弁座部材に離着座して排出通路を開閉する。また、弁室４内に流入したドレンは、定流量弁機構７の可変通路８からオリフィス５と出口通路６を通って外部へ排出される。この場合、弾性部材で形成した定流量弁機構７の可変通路８の通路面積が、圧力差に応じて大きくなったり小さくなって変化することで、入口２側と出口３側の圧力差に関係無く一定量のドレンを排出することができる。
【００１２】
次に図２を参照して本発明の他の実施の形態について説明する。なお、図２において図１と同一部材については同一符号を付す。本実施例においては、定流量弁機構９を、ステンレス鋼からなる鋼球１０と、鋼球１０の下部に配置したコイルバネ１１とで構成する。コイルバネ１１に下端部に連通路１２を設けて出口３の出口通路６と連通する。入口２側と出口３側の圧力差が小さい場合は、コイルバネ１１の弾性力によって鋼球１０が上方に位置して通路面積が大きくなり、一方、圧力差が大きくなると、コイルバネ１１が圧縮されて鋼球１０も下方に位置することで、通路面積は小さくなることで、入口２側と出口３側の圧力差に関係無く一定量のドレンを排出することができる。
【産業上の利用可能性】
【００１３】
本発明は、蒸気配管系に発生するドレンを自動的に外部へ排出するフロート式蒸気トラップに利用することができる。
【符号の説明】
【００１４】
１  弁ケーシング
２  入口
３  出口
４  弁室
５  オリフィス
６  出口通路
７  定流量弁機構
８  可変通路
９  定流量弁機構
１０  鋼球
１１  コイルバネ
１２  連通路
【図１】
2014074445.tif 000003
【図２】
2014074445.tif 000004